(57)【要約】【課題】本発明は洗浄に便利な自動車コンソールボックスを開示した。【解決手段】本体と、前記本体の左端に固定された固定ブロックを含み、前記本体の中には収納チャンバが設置され、前記収納チャンバの上側には回転チャンバが設置され、前記回転チャンバの中には前記収納チャンバを閉じられる回転板が設置され、本装置は構造が簡単で、操作が便利で、本体内の底部の板を直接的に持上げ、手を内部に伸びなくて済ませ、洗浄をもっと便利にさせ、洗浄の効率と完成度を向上させ、また、ニーズにより収納チャンバをロックでき、財産の安全と収納チャンバ使用の便利さを保証できる。【選択図】図１
2020175869.tif 000002
【特許請求の範囲】
【請求項１】
本体と、前記本体の左端に固定された固定ブロックを含み、前記本体の中には収納チャンバが設置され、前記収納チャンバの上側には回転チャンバが設置され、前記回転チャンバの中には前記収納チャンバを閉じられる回転板が設置され、前記本体の中には押出機構が設置され、前記押出機構は昇降チャンバと、前記昇降チャンバの中に位置し且つスライドできる昇降板とを含み、前記昇降板の下端には昇降ばねが設置され、前記昇降板の上端には二枚の支持板が設置され、二枚の前記支持板の間には前記回転板を支持できる回転軸が固定され、前記昇降板の中には収納溝が設置され、前記昇降チャンバの右端壁には押出チャンバが設置され、前記押出チャンバの中には左端が前記昇降チャンバの中に位置し且つ前記昇降板の復帰を制限できる台形ブロックが設置され、前記台形ブロックの右端には前記押出チャンバの端壁と連結された押出ばねが設置され、前記固定ブロックの中には円筒チャンバが設置され、前記収納チャンバの左端壁には前記収納チャンバと前記円筒チャンバとを連通する旋転チャンバが設置され、前記円筒チャンバの中にはサポート板が設置され、且つ前記収納チャンバの中には連結板が設置され、前記収納チャンバの下端壁には持上げチャンバが設置され、前記持上げチャンバの下端壁には移動チャンバが設置され、前記移動チャンバの中には移動ロッドが設置され、前記移動ロッドの右端には昇降板を連結し且つ前記移動ロッドの運動を制御できるロープが固定され、前記移動ロッドの右端には右端が前記移動チャンバの右端壁と連結された移動ばねが設置され、前記旋転チャンバの上下端壁の間には旋転軸が回転可能に連結され、前記旋転軸には前記移動ロッドに連動して回転する旋転歯車が固定され、前記本体の左端の中にはロック機構が設置され、前記ロック機構はロック溝と、前記ロック溝の中に位置するロックブロックとを含み、前記ロックブロックの中には前記ロックブロックを貫通したロック穴が設置され、前記ロック溝の左端壁の中には電磁チャンバが設置され、前記電磁チャンバの中には電磁板が設置され、前記電磁板の右端には右端が前記ロック穴の中に位置し且つ前記ロックブロックの復帰を制限するロックロッドが設置され、前記電磁板の中には連通穴が設置され、前記ロックブロックの下側には左端が前記電磁板の運動を制限する制限ロッドが設置され、前記電磁チャンバの左端壁には電磁石が設置され、前記電磁板の右端には前記電磁板の運動を連動させることのできるロックばねが設置され、前記制限ロッドの右端に下端が前記ロック溝の下端壁と連結された二つの制限ばねが設置され、その作用は前記押出機構の働きによって前記サポート板と前記連結板とを押し出して洗浄に便利を与えることを特徴とする洗浄に便利な自動車コンソールボックス。
【請求項２】
前記押出機構は前記旋転軸と螺旋的に連結された昇降ロッドを含み、前記昇降ロッドの右端が前記持上げチャンバの中に位置しており、かつ前記昇降ロッドの右端には前記連結板と連結された連結ロッドが固定され、前記連結板の下端には下端が前記収納チャンバと連結された持上げばねが設置され、前記旋転軸には左端が前記円筒チャンバの中に位置する従動ロッドがスライド可能に連結され、前記従動ロッドの左端には前記サポート板と連結された連結ブロックが設置され、前記サポート板の中には水玉を収集できる上に開いた溝が設置され、前記旋転チャンバが前記移動チャンバに連通し、前記押出機構の作用は洗浄する時直接に前記サポート板と前記連結板を押し出して洗浄に備え、手を本体の内部に伸びなくて済ませることを特徴とする請求項１に記載の洗浄に便利な自動車コンソールボックス。
【請求項３】
前記ロック機構には前記本体の左端面に固定され且つ前記電磁石の作動を制御する制御器が含まれ、前記回転板の左端には左に開いた移動溝が設置され、前記回転板の左端には下に開いた昇降溝が設置され、前記ロックブロックの上端には上端が前記昇降溝と前記移動溝の右端壁とを貫通し且つ動力を伝達できるチェーンが設置され、前記チェーンの左端には前記チェーンを引き動かして運動させる半リングが設置され、前記半リングの右端には右端が前記移動溝の右端壁と連結された平行移動ばねが設置されていることを特徴とする請求項１に記載の洗浄に便利な自動車コンソールボックス。
【発明の詳細な説明】
【技術分野】
【０００１】
本発明は自動車用品分野に関し、具体的には洗浄に便利な自動車コンソールボックス。
【背景技術】
【０００２】
現在、自動車車内のコンソールボックスのほとんどは直接的に開けることができ、ロック機能を有しなく、中に収納されたものの安全を確保できず、しかもコンソールボックス内部の空間の深度により洗浄が難しくなり、底部まできれいに洗浄できない。
【先行技術文献】
【特許文献】
【０００３】
【特許文献１】中国特許出願公開第１０２２５９６２０号明細書
【発明の概要】
【発明が解決しようとする課題】
【０００４】
本発明の目的は洗浄に便利な自動車コンソールボックスを提供し、それは上記の現在の技術中の問題を解決できる。
【課題を解決するための手段】
【０００５】
上記の課題を解決するため、本発明は以下の技術プランを採用する：洗浄に便利な自動車コンソールボックスは、本体と、前記本体の左端に固定された固定ブロックを含み、前記本体の中には収納チャンバが設置され、前記収納チャンバの上側には回転チャンバが設置され、前記回転チャンバの中には前記収納チャンバを閉じられる回転板が設置され、前記本体の中には押出機構が設置され、前記押出機構は昇降チャンバと、前記昇降チャンバの中に位置し且つスライドできる昇降板とを含み、前記昇降板の下端には昇降ばねが設置され、前記昇降板の上端には二枚の支持板が設置され、二枚の前記支持板の間には前記回転板を支持できる回転軸が固定され、前記昇降板の中には収納溝が設置され、前記昇降チャンバの右端壁には押出チャンバが設置され、前記押出チャンバの中には左端が前記昇降チャンバの中に位置し且つ前記昇降板の復帰を制限できる台形ブロックが設置され、前記台形ブロックの右端には前記押出チャンバの端壁と連結された押出ばねが設置され、前記固定ブロックの中には円筒チャンバが設置され、前記収納チャンバの左端壁には前記収納チャンバと前記円筒チャンバとを連通する旋転チャンバが設置され、前記円筒チャンバの中にはサポート板が設置され、且つ前記収納チャンバの中には連結板が設置され、前記収納チャンバの下端壁には持上げチャンバが設置され、前記持上げチャンバの下端壁には移動チャンバが設置され、前記移動チャンバの中には移動ロッドが設置され、前記移動ロッドの右端には昇降板を連結し且つ前記移動ロッドの運動を制御できるロープが固定され、前記移動ロッドの右端には右端が前記移動チャンバの右端壁と連結された移動ばねが設置され、前記旋転チャンバの上下端壁の間には旋転軸が回転可能に連結され、前記旋転軸には前記移動ロッドに連動して回転する旋転歯車が固定され、前記本体の左端の中にはロック機構が設置され、前記ロック機構はロック溝と、前記ロック溝の中に位置するロックブロックとを含み、前記ロックブロックの中には前記ロックブロックを貫通したロック穴が設置され、前記ロック溝の左端壁の中には電磁チャンバが設置され、前記電磁チャンバの中には電磁板が設置され、前記電磁板の右端には右端が前記ロック穴の中に位置し且つ前記ロックブロックの復帰を制限するロックロッドが設置され、前記電磁板の中には連通穴が設置され、前記ロックブロックの下側には左端が前記電磁板の運動を制限する制限ロッドが設置され、前記電磁チャンバの左端壁には電磁石が設置され、前記電磁板の右端には前記電磁板の運動を連動させることのできるロックばねが設置され、前記制限ロッドの右端に下端が前記ロック溝の下端壁と連結された二つの制限ばねが設置され、その作用は前記押出機構の働きによって前記サポート板と前記連結板とを押し出して洗浄に便利を与える。
【０００６】
優選的には、前記押出機構は前記旋転軸と螺旋的に連結された昇降ロッドを含み、前記昇降ロッドの右端が前記持上げチャンバの中に位置しており、かつ前記昇降ロッドの右端には前記連結板と連結された連結ロッドが固定され、前記連結板の下端には下端が前記収納チャンバと連結された持上げばねが設置され、前記旋転軸には左端が前記円筒チャンバの中に位置する従動ロッドがスライド可能に連結され、前記従動ロッドの左端には前記サポート板と連結された連結ブロックが設置され、前記サポート板の中には水玉を収集できる上に開いた溝が設置され、前記旋転チャンバが前記移動チャンバに連通し、前記押出機構の作用は洗浄する時直接に前記サポート板と前記連結板を押し出して洗浄に備え、手を本体の内部に伸びなくて済ませる。
【０００７】
優選的には、前記ロック機構には前記本体の左端面に固定され且つ前記電磁石の作動を制御する制御器が含まれ、前記回転板の左端には左に開いた移動溝が設置され、前記回転板の左端には下に開いた昇降溝が設置され、前記ロックブロックの上端には上端が前記昇降溝と前記移動溝の右端壁とを貫通し且つ動力を伝達できるチェーンが設置され、前記チェーンの左端には前記チェーンを引き動かして運動させる半リングが設置され、前記半リングの右端には右端が前記移動溝の右端壁と連結された平行移動ばねが設置されている。
【発明の効果】
【０００８】
本発明の有益効果は：本装置は構造が簡単で、操作が便利で、本体内の底部の板を直接的に持上げ、手を内部に伸びなくて済ませ、洗浄をもっと便利にさせ、洗浄の効率と完成度を向上させ、また、ニーズにより収納チャンバをロックでき、財産の安全と収納チャンバ使用の便利さを保証できる。
【図面の簡単な説明】
【０００９】
下記に出る上下左右前後方向はすべて図1の自身投影関係の上下左右前後方向と一致する。
【００１０】
【図１】図１は本発明の洗浄に便利な自動車コンソールボックスの全体断面の正面構成概略図
【図２】図２は本発明の洗浄に便利な自動車コンソールボックスのロック機構の局部断面の正面拡大構造図
【図３】図３は本発明の洗浄に便利な自動車コンソールボックスの押出機構の局部断面の左面拡大構造略図
【図４】図４は本発明の洗浄に便利な自動車コンソールボックスのロック機構の局部断面の正面拡大構造略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１−４を参照し、本発明の洗浄に便利な自動車コンソールボックスは、本体１と、前記本体１の左端に固定された固定ブロック１９を含み、前記本体１の中には収納チャンバ３４が設置され、前記収納チャンバ３４の上側には回転チャンバ３７が設置され、前記回転チャンバ３７の中には前記収納チャンバを閉じられる回転板３５が設置され、前記本体１の中には押出機構５０が設置され、前記押出機構５０は昇降チャンバ２と、前記昇降チャンバ２の中に位置し且つスライドできる昇降板３８とを含み、前記昇降板３８の下端には昇降ばね５が設置され、前記昇降板５の上端には二枚の支持板５１が設置され、二枚の前記支持板５２の間には前記回転板３５を支持できる回転軸３６が固定され、前記昇降板３８の中には収納溝３９が設置され、前記昇降チャンバ２の右端壁には押出チャンバ８が設置され、前記押出チャンバ８の中には左端が前記昇降チャンバ２の中に位置し且つ前記昇降板３８の復帰を制限できる台形ブロック７が設置され、前記台形ブロック７の右端には前記押出チャンバ８の端壁と連結された押出ばね９が設置され、前記固定ブロック１９の中には円筒チャンバ２２が設置され、前記収納チャンバ３４の左端壁には前記収納チャンバ３４と前記円筒チャンバ２２とを連通する旋転チャンバ１８が設置され、前記円筒チャンバ２２の中にはサポート板が設置され、且つ前記収納チャンバ３４の中には連結板４が設置され、前記収納チャンバ３４の下端壁には持上げチャンバ１５が設置され、前記持上げチャンバ１５の下端壁には移動チャンバ１０が設置され、前記移動チャンバ１０の中には移動ロッド１２が設置され、前記移動ロッド１２の右端には昇降板３８を連結し且つ前記移動ロッド１２の運動を制御できるロープ３が固定され、前記移動ロッド１２の右端には右端が前記移動チャンバ１０の右端壁と連結された移動ばね１１が設置され、前記旋転チャンバ１８の上下端壁の間には旋転軸２５が回転可能に連結され、前記旋転軸２５には前記移動ロッド１２に連動して回転する旋転歯車１７が固定され、前記本体１の左端の中にはロック機構２７が設置され、前記ロック機構２７はロック溝４７と、前記ロック溝４７の中に位置するロックブロック４８とを含み、前記ロックブロック４８の中には前記ロックブロック４８を貫通したロック穴４９が設置され、前記ロック溝４７の左端壁の中には電磁チャンバ４１が設置され、前記電磁チャンバ４１の中には電磁板４２が設置され、前記電磁板４２の右端には右端が前記ロック穴４９の中に位置し且つ前記ロックブロック４８の復帰を制限するロックロッド４０が設置され、前記電磁板４２の中には連通穴５２が設置され、前記ロックブロック４８の下側には左端が前記電磁板４２の運動を制限する制限ロッド４３が設置され、前記電磁チャンバ４４の左端壁には電磁石４１が設置され、前記電磁板４２の右端には前記電磁板４２の運動を連動させることのできるロックばね４５が設置され、前記制限ロッド４３の右端に下端が前記ロック溝４７の下端壁と連結された二つの制限ばね４８が設置され、その作用は前記押出機構５０の働きによって前記サポート板と前記連結板４とを押し出して洗浄に便利を与える。
【００１３】
有益的には、前記押出機構５０は前記旋転軸２５と螺旋的に連結された昇降ロッド１４を含み、前記昇降ロッド１４の右端が前記持上げチャンバ１５の中に位置しており、かつ前記昇降ロッド１４の右端には前記連結板４と連結された連結ロッド１３が固定され、前記連結板４の下端には下端が前記収納チャンバ３４と連結された持上げばね６が設置され、前記旋転軸２５には左端が前記円筒チャンバ２２の中に位置する従動ロッド２３がスライド可能に連結され、前記従動ロッド２３の左端には前記サポート板２０と連結された連結ブロック２４が設置され、前記サポート板２０の中には水玉を収集できる上に開いた溝２１が設置され、前記旋転チャンバ１８が前記移動チャンバ１０に連通し、前記押出機構５０の作用は洗浄する時直接に前記サポート板２０と前記連結板４を押し出して洗浄に備え、手を本体の内部に伸びなくて済ませる。
【００１４】
有益的には、前記ロック機構２７には前記本体１の左端面に固定され且つ前記電磁石４１の作動を制御する制御器２６が含まれ、前記回転板３５の左端には左に開いた移動溝２９が設置され、前記回転板３５の左端には下に開いた昇降溝３３が設置され、前記ロックブロック４８の上端には上端が前記昇降溝３３と前記移動溝２９の右端壁とを貫通し且つ動力を伝達できるチェーン２８が設置され、前記チェーン２８の左端には前記チェーン２８を引き動かして運動させる半リング３０が設置され、前記半リング３０の右端には右端が前記移動溝２９の右端壁と連結された平行移動ばね３１が設置されている。
【００１５】
下記、付図１−４及び上記の本発明の洗浄に便利な自動車コンソールボックスの具体的な構成を合わせて本発明の使用方法を紹介する：
【００１６】
収納チャンバ３４をロックする時、右に半リング３０を押さえ、平行移動ばね３１を圧縮し、チェーン２８が緩くなり、これによりチェーン４８が自身の重力によってロック溝４７の中に入って制限ロッド４３を下降連動させ、制限ロッド４３が連通穴５２と同じ水平面になる時、電磁板４２がロックばね４５の作用によって右に運動し、これによりロックロッド４０の右端がロック穴４９の中に入って回転板３５をロックする。
【００１７】
サポート板２０と連結板４を洗浄する時、制御器２６によって電磁石４１の作動を制御し、これにより電磁板４２とロックロッド４０とを復帰連動させ、ロックブロック４８が制限されなくなって前記平行移動ばね３１とチェーン２８との作用によって復帰し、回転板３５のロックを解除し、回転板３５を鉛直状態になるように回転させ、下に回転板３５を押して昇降板３８を下降させ、ロープ３がゆるくなり、昇降ばね５が圧縮され、移動ばね１１が移動ロッド１２を左に運動連動させ、これにより旋転歯車１７と旋転軸２５とが回転して持上げロッド１４と連結ロッド１３と連結板４とを上昇させ、持上げロッド１４が従動ロッド２３と接触した後従動ロッド２３と連結ブロック２４とサポート板とを上昇連動させ、昇降板３８が最も下側に下降した後、台形ブロック７の左端が収納溝３９の中に入って昇降板３８の復帰を制限し、またこの時サポート板２０と連結板４とが外部空間に位置し、洗浄が便利であり、リセットする時には上に回転板３５を引き動かして装置をばねの作用によってリセットする。
【００１８】
本発明の有益効果は：本装置は構造が簡単で、操作が便利で、本体内の底部の板を直接的に持上げ、手を内部に伸びなくて済ませ、洗浄をもっと便利にさせ、洗浄の効率と完成度を向上させ、また、ニーズにより収納チャンバをロックでき、財産の安全と収納チャンバ使用の便利さを保証できる。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020175869.tif 000003
【図２】
2020175869.tif 000004
【図３】
2020175869.tif 000005
【図４】
2020175869.tif 000006
【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
本体と、前記本体の左端に固定された固定ブロックを含み、前記本体の中には収納チャンバが設置され、前記収納チャンバの上側には回転チャンバが設置され、前記回転チャンバの中には前記収納チャンバを閉じられる回転板が設置され、前記本体の中には押出機構が設置され、前記押出機構は昇降チャンバと、前記昇降チャンバの中に位置し且つスライドできる昇降板とを含み、前記昇降板の下端には昇降ばねが設置され、前記昇降板の上端には二枚の支持板が設置され、二枚の前記支持板の間には前記回転板を支持できる回転軸が固定され、前記昇降板の中には収納溝が設置され、前記昇降チャンバの右端壁には押出チャンバが設置され、前記押出チャンバの中には左端が前記昇降チャンバの中に位置し且つ前記昇降板の復帰を制限できる台形ブロックが設置され、前記台形ブロックの右端には前記押出チャンバの端壁と連結された押出ばねが設置され、前記固定ブロックの中には円筒チャンバが設置され、前記収納チャンバの左端壁には前記収納チャンバと前記円筒チャンバとを連通する旋転チャンバが設置され、前記円筒チャンバの中にはサポート板が設置され、且つ前記収納チャンバの中には連結板が設置され、前記収納チャンバの下端壁には持上げチャンバが設置され、前記持上げチャンバの下端壁には移動チャンバが設置され、前記移動チャンバの中には移動ロッドが設置され、前記移動ロッドの右端には昇降板を連結し且つ前記移動ロッドの運動を制御できるロープが固定され、前記移動ロッドの右端には右端が前記移動チャンバの右端壁と連結された移動ばねが設置され、前記旋転チャンバの上下端壁の間には旋転軸が回転可能に連結され、前記旋転軸には前記移動ロッドに連動して回転する旋転歯車が固定され、前記本体の左端の中にはロック機構が設置され、前記ロック機構はロック溝と、前記ロック溝の中に位置するロックブロックとを含み、前記ロックブロックの中には前記ロックブロックを貫通したロック穴が設置され、前記ロック溝の左端壁の中には電磁チャンバが設置され、前記電磁チャンバの中には電磁板が設置され、前記電磁板の右端には右端が前記ロック穴の中に位置し且つ前記ロックブロックの復帰を制限するロックロッドが設置され、前記電磁板の中には連通穴が設置され、前記ロックブロックの下側には左端が前記電磁板の運動を制限する制限ロッドが設置され、前記電磁チャンバの左端壁には電磁石が設置され、前記電磁板の右端には前記電磁板の運動を連動させることのできるロックばねが設置され、前記制限ロッドの右端に下端が前記ロック溝の下端壁と連結された二つの制限ばねが設置され、その作用は前記押出機構の働きによって前記サポート板と前記連結板とを押し出して洗浄に便利を与え、
前記押出機構は前記旋転軸と螺旋的に連結された昇降ロッドを含み、前記昇降ロッドの右端が前記持上げチャンバの中に位置しており、かつ前記昇降ロッドの右端には前記連結板と連結された連結ロッドが固定され、前記連結板の下端には下端が前記収納チャンバと連結された持上げばねが設置され、前記旋転軸には左端が前記円筒チャンバの中に位置する従動ロッドがスライド可能に連結され、前記従動ロッドの左端には前記サポート板と連結された連結ブロックが設置され、前記サポート板の中には水玉を収集できる上に開いた溝が設置され、前記旋転チャンバが前記移動チャンバに連通し、前記押出機構の作用は洗浄する時直接に前記サポート板と前記連結板を押し出して洗浄に備え、手を本体の内部に伸びなくて済ませることを特徴とする請求項１に記載の洗浄に便利な自動車コンソールボックス。
【請求項２】
前記ロック機構には前記本体の左端面に固定され且つ前記電磁石の作動を制御する制御器が含まれ、前記回転板の左端には左に開いた移動溝が設置され、前記回転板の左端には下に開いた昇降溝が設置され、前記ロックブロックの上端には上端が前記昇降溝と前記移動溝の右端壁とを貫通し且つ動力を伝達できるチェーンが設置され、前記チェーンの左端には前記チェーンを引き動かして運動させる半リングが設置され、前記半リングの右端には右端が前記移動溝の右端壁と連結された平行移動ばねが設置されていることを特徴とする請求項１に記載の洗浄に便利な自動車コンソールボックス。
【手続補正書】
【提出日】令和1年7月3日(2019.7.3)
【手続補正１】
【補正対象書類名】特許請求の範囲
【補正対象項目名】請求項１
【補正方法】変更
【補正の内容】
【請求項１】
本体と、前記本体の左端に固定された固定ブロックを含み、前記本体の中には収納チャンバが設置され、前記収納チャンバの上側には回転チャンバが設置され、前記回転チャンバの中には前記収納チャンバを閉じられる回転板が設置され、前記本体の中には押出機構が設置され、前記押出機構は昇降チャンバと、前記昇降チャンバの中に位置し且つスライドできる昇降板とを含み、前記昇降板の下端には昇降ばねが設置され、前記昇降板の上端には二枚の支持板が設置され、二枚の前記支持板の間には前記回転板を支持できる回転軸が固定され、前記昇降板の中には収納溝が設置され、前記昇降チャンバの右端壁には押出チャンバが設置され、前記押出チャンバの中には左端が前記昇降チャンバの中に位置し且つ前記昇降板の復帰を制限できる台形ブロックが設置され、前記台形ブロックの右端には前記押出チャンバの端壁と連結された押出ばねが設置され、前記固定ブロックの中には円筒チャンバが設置され、前記収納チャンバの左端壁には前記収納チャンバと前記円筒チャンバとを連通する旋転チャンバが設置され、前記円筒チャンバの中にはサポート板が設置され、且つ前記収納チャンバの中には連結板が設置され、前記収納チャンバの下端壁には持上げチャンバが設置され、前記持上げチャンバの下端壁には移動チャンバが設置され、前記移動チャンバの中には移動ロッドが設置され、前記移動ロッドの右端には昇降板を連結し且つ前記移動ロッドの運動を制御できるロープが固定され、前記移動ロッドの右端には右端が前記移動チャンバの右端壁と連結された移動ばねが設置され、前記旋転チャンバの上下端壁の間には旋転軸が回転可能に連結され、前記旋転軸には前記移動ロッドに連動して回転する旋転歯車が固定され、前記本体の左端の中にはロック機構が設置され、前記ロック機構はロック溝と、前記ロック溝の中に位置するロックブロックとを含み、前記ロックブロックの中には前記ロックブロックを貫通したロック穴が設置され、前記ロック溝の左端壁の中には電磁チャンバが設置され、前記電磁チャンバの中には電磁板が設置され、前記電磁板の右端には右端が前記ロック穴の中に位置し且つ前記ロックブロックの復帰を制限するロックロッドが設置され、前記電磁板の中には連通穴が設置され、前記ロックブロックの下側には左端が前記電磁板の運動を制限する制限ロッドが設置され、前記電磁チャンバの左端壁には電磁石が設置され、前記電磁板の右端には前記電磁板の運動を連動させることのできるロックばねが設置され、前記制限ロッドの右端に下端が前記ロック溝の下端壁と連結された二つの制限ばねが設置され、その作用は前記押出機構の働きによって前記サポート板と前記連結板とを押し出して洗浄に便利を与え、
前記押出機構は前記旋転軸と螺旋的に連結された昇降ロッドを含み、前記昇降ロッドの右端が前記持上げチャンバの中に位置しており、かつ前記昇降ロッドの右端には前記連結板と連結された連結ロッドが固定され、前記連結板の下端には下端が前記収納チャンバと連結された持上げばねが設置され、前記旋転軸には左端が前記円筒チャンバの中に位置する従動ロッドがスライド可能に連結され、前記従動ロッドの左端には前記サポート板と連結された連結ブロックが設置され、前記サポート板の中には水玉を収集できる上に開いた溝が設置され、前記旋転チャンバが前記移動チャンバに連通し、前記押出機構の作用は洗浄する時直接に前記サポート板と前記連結板を押し出して洗浄に備え、手を本体の内部に伸びなくて済ませることを特徴とする洗浄に便利な自動車コンソールボックス。